(57)【要約】【課題】前板の裏側に収納した長尺物と干渉することなく、かつ汎用部品を使って安価に製造可能なキッチン収納庫を提供することを目的としている。【解決手段】引出の内側に内引出を備えたキッチン１００において、内引出３００は、キャビネット側レール３１２と引出側レール３１６とを有するスライドレール３１０と、引出側レール３１６に固定されるフレーム３２０と、フレーム３２０に固定されるトレイ３３０とを備え、フレーム３２０はトレイの前端３３０ａよりも前方に延長されていて、引出の前板２０２がフレームの前面３２６に当接したとき、前板２０２とトレイ３３０との間に収納空間Ｃが形成されることを特徴とする。【選択図】図２
2014033823.tif 000002
【特許請求の範囲】
【請求項１】
引出の内側に内引出を備えたキッチン収納庫において、
前記内引出は、キャビネット側レールと引出側レールとを有するスライドレールと、前記引出側レールに固定されるフレームと、前記フレームに固定されるトレイとを備え、
前記フレームは前記トレイの前端よりも前方に延長されていて、該フレームの前面が引出の前板に当接したとき、該前板と前記トレイとの間に収納空間が形成されることを特徴とするキッチン収納庫。
【請求項２】
引出の内側に内引出を備えたキッチン収納庫において、
前記内引出は、キャビネット側レールと引出側レールとを有するスライドレールと、前記引出側レールに固定されるフレームと、前記フレームに固定されるトレイとを備え、
前記トレイの前端が前記フレームの前面よりも後方にオフセットしていて、該フレームの前面が引出の前板に当接したとき、該前板と前記トレイとの間に収納空間が形成されることを特徴とするキッチン収納庫。
【請求項３】
前記フレームの前面には、前記前板に当接する緩衝材が設けられていることを特徴とする請求項１または２に記載のキッチン収納庫。
【発明の詳細な説明】
【技術分野】
【０００１】
本発明は、内引出を備えたキッチン収納庫に関する。
【背景技術】
【０００２】
キッチンで使用される調理器具には、ボールやざるのように大型のもの、長手の形状を有する杓子類（レードル）、長箸、ラップ、包丁、調味料などの小物類、乾物や缶詰などの食料品など、様々なものがある。
【０００３】
そこでキッチン収納庫には、使い勝手を向上させるために、物品の形状に応じた様々な工夫が成されている。中でも長尺物のレードル類は、引出の前板の裏側に収納部を設けて、立てた姿勢で保持するような収納構造が採用される場合がある。また小物類を収納するために、引出の内部に内引出を設けた構成が採用される場合も多い。
【０００４】
しかしながら前板の裏側にレードル類の収納部を設け、同時に内引出を設けたとすると、レードル類と内引出が干渉してしまうという問題がある。たとえば内引出を引き出した状態で外側の引出を閉めるとき、内引出は前板の裏側に押されて押し込まれることになる。このときレードル類と内引出のトレイとが衝突し、互いを傷めてしまうという問題がある。
【０００５】
これに対し特許文献１では、内引出のトレイの前方端縁の一部に後退部を設けて、前板とトレイの間に吹抜空間を形成したキッチン収納庫が開示されている。特許文献１では、この吹抜空間にレードル類の収納部（ホルダ）を設置してもレードル類と内引出が衝突することがなく、かつ、後退部以外は内引出の収納機能を損なっていないため、侵食される内引出の収納スペースを最小限にできると述べている。
【先行技術文献】
【特許文献】
【０００６】
【特許文献１】特開２００８−２５３３２１号公報
【発明の概要】
【発明が解決しようとする課題】
【０００７】
特許文献１の構成では、確かにレードル類の収納部と内引出の共存を図ることが可能であり、収納効率の向上と互いの損傷防止を図ることができる。しかしながら特許文献１の構成では、端縁の一部に後退部を有するという、特殊な形状のトレイを製造する必要がある。このようなトレイは樹脂成形品で製造することになる。キッチンは同じモデルであっても幅寸法にバリエーションが用意され、それに応じてキャビネットの幅寸法が異なる。するとバリエーションごとに金型をおこす必要があり、金型コストが増大する。また金型が異なるということは、生産ラインを分けるか、金型を入れ替えて時期を分ける必要があるため、生産コストも増大するという問題がある。
【０００８】
そこで本発明は、前板の裏側に収納した長尺物と干渉することなく、かつ汎用部品を使って安価に製造可能なキッチン収納庫を提供することを目的としている。
【課題を解決するための手段】
【０００９】
上記課題を解決するために、本発明の代表的な構成は、引出の内側に内引出を備えたキッチン収納庫において、内引出は、キャビネット側レールと引出側レールとを有するスライドレールと、引出側レールに固定されるフレームと、フレームに固定されるトレイとを備え、フレームはトレイの前端よりも前方に延長されていて、引出の前板がフレームの前面に当接したとき、前板とトレイとの間に収納空間が形成されることを特徴とする。
【００１０】
上記構成によれば、フレームを前方に延長したことにより、前板がフレームの前面に当接した際に前板とトレイとの間に収納空間が形成される。したがって前板の裏側に収納した長尺物と干渉することを防止することができる。なお、スライドレール、フレームおよびトレイはいずれも従来から用いられている基本的な構成部品である。そして本発明では、フレームを延長するという簡潔な手段によって課題を解決していて、トレイは通常の矩形でよい。したがって、汎用部品を使って安価に製造可能である。
【００１１】
本発明の他の代表的な構成は、引出の内側に内引出を備えたキッチン収納庫において、内引出は、キャビネット側レールと引出側レールとを有するスライドレールと、引出側レールに固定されるフレームと、フレームに固定されるトレイとを備え、トレイの前端がフレームの前面よりも後方にオフセットしていて、引出の前板がフレームの前面に当接したとき、前板とトレイとの間に収納空間が形成されることを特徴とする。
【００１２】
上記構成によれば、トレイの前端をフレームの前面よりも後方にオフセットさせたことにより、前板がフレームの前面に当接した際に前板とトレイとの間に収納空間が形成される。その余の作用効果については上記と同様である。
【００１３】
フレームの前面には、前板に当接する緩衝材が設けられていることが好ましい。これにより、引出の前板がフレームに衝突する際の衝撃を緩和することができる。
【発明の効果】
【００１４】
本発明によれば、前板の裏側に収納した長尺物と干渉することなく、かつ汎用部品を使って安価に製造可能なキッチン収納庫を提供することができる。
【図面の簡単な説明】
【００１５】
【図１】キッチン収納庫の全体構成を説明する図である。
【図２】内引出の構成を説明する三面図である。
【図３】フレームを説明する三面図である。
【図４】引出および内引出の動作を説明する図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
以下の説明において前後で説明するとき、前方とは使用者側、すなわちキッチン収納庫の前面側である。後方とはキッチン収納庫の奥側である。
【００１８】
図１はキッチン収納庫の全体構成を説明する図である。キッチン収納庫の例としてのキッチン１００は、コンロ１１０が設置されているコンロキャビネット１２０と、水栓１３０およびシンク１４０が設置されているシンクキャビネット１５０と、調理スペース１６０が設けられていて食器洗い機等を収容可能なベースキャビネット１７０との３つのキャビネットで構成されている。シンクキャビネット１５０には、シンク１４０の下に引出２００と足下収納庫２１０が設置されている。引出２００は、内部に内引出を備えた多段収納庫である。
【００１９】
多段収納庫がキッチン１００のシンク１４０の下に配置されているのは、シンク１４０にて用いられる調理器具や調味料を取り出しやすいからである。しかし、多段収納庫は他のキャビネットに設けてもよく、例えば調理スペース１６０を設けたベースキャビネット１７０に設けてもよい。
【００２０】
図２は内引出３００の構成を説明する三面図であって、平面図、側面図、正面図を示している。図２の平面図においては、部材の理解を容易にするために部分的に分解して示している。
【００２１】
内引出３００は、スライドレール３１０、フレーム３２０、およびトレイ３３０から構成される。スライドレール３１０はキャビネット側レール３１２、中間レール３１４、引出側レール３１６とを有する３段レールである。キャビネット側レール３１２は、シンクキャビネット１５０の壁面に固定される。引出側レール３１６はフレーム３２０にボルト留めで固定される。このような多段レールを用いることにより、トレイはキャビネットから大きく突出することができる。
【００２２】
図３はフレーム３２０を説明する図である。フレーム３２０は引出側レール３１６にかぶさるように板材を曲げ加工して形成していて、側面３２２、上面３２４、前面３２６の３面から構成されている。側面３２２には、トレイ３３０が溶接によって固定される。また側面にはナット３２２ａが溶接されていて、これに引出側レール３１６がボルト留めによって固定される。
【００２３】
またフレームの前面３２６には、緩衝材３２６ａが取り付けられている。緩衝材３２６ａは、引出２００を押し込むときに前板２０２の裏側が衝突する際の衝撃を緩和する。緩衝材３２６ａの具体例としては、ゴムやシリコンなどの弾性樹脂材料のブロックを貼着するとよい。
【００２４】
トレイ３３０は、本実施形態においてはカゴ状の金網トレイである。トレイ３３０は全体的な外形が矩形の汎用部品である。なお汎用部品（購入できる部品）である場合には、段差や仕切りなどが形成されていてもよい。
【００２５】
ここで、フレーム３２０はトレイの前端３３０ａよりも前方に延長されている。換言すれば、トレイの前端３３０ａがフレームの前面３２６よりも後方にオフセットされている。したがって、フレームの前面３２６は、トレイの前端３３０ａよりも突出量Ｒだけ前方に位置している。
【００２６】
図４は引出２００および内引出３００の動作を説明する図である。図４（ａ）は引出２００および内引出３００を開く前の状態を示している。図４（ｂ）は引出２００を引き出した状態を示している。引出２００と内引出３００は非連動であり、引出２００を引き出しただけでは内引出３００は移動しない。図４（ｃ）は内引出３００を引き出した状態を示している。スライドレール３１０が多段レールであることにより、トレイ３３０はキャビネットの側壁１５２から露出する位置まで引き出すことができる。
【００２７】
そして図４（ｄ）は、引出２００を閉じるときの状態を示している。引出２００を閉めるとき、内引出３００は自動では閉じないために、引出の前板２０２が引出２００に当接して、あわせて押し込まれることになる。このときフレーム３２０がトレイの前端３３０ａよりも前方に延長されていることから、前板２０２がフレームの前面３２６に衝突するとき、フレーム３２０の突出量Ｒによって前板２０２の裏側とトレイ３３０との間に収納空間Ｃ（図４（ｃ）のハッチング部分）が形成される。さらに引出２００を押し込むことにより、図４（ａ）に示した状態まで戻る。
【００２８】
上記説明したように、引出の前板２０２がフレームの前面３２６に（緩衝材３２６ａに）当接したとき、前板２０２とトレイ３３０との間に収納空間Ｃが形成される。したがって前板２０２の裏側に長尺物を収納したとしても、収納物とトレイ３３０とが干渉（衝突）することを防止することができる。なお、スライドレール３１０、フレーム３２０およびトレイ３３０はいずれも従来から用いられている基本的な構成部品である。そして本発明では、フレーム３２０を延長する（トレイの前端３３０ａがフレームの前面３２６よりも後方にオフセットされている）という簡潔な手段によって課題を解決していて、トレイ３３０は通常の矩形でよい。したがって、汎用部品を使って安価に製造可能である。
【００２９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３０】
本発明は、内引出を備えたキッチン収納庫として利用することができる。
【符号の説明】
【００３１】
１００…キッチン、１１０…コンロ、１３０…水栓、１４０…シンク、１５０…シンクキャビネット、１５２…側壁、１６０…調理スペース、１７０…ベースキャビネット、２００…引出、２０２…前板、２１０…足下収納庫、３００…内引出、３１０…スライドレール、３１２…キャビネット側レール、３１４…中間レール、３１６…引出側レール、３２０…フレーム、３２２…側面、３２２ａ…ナット、３２４…上面、３２６…前面、３２６ａ…緩衝材、３３０…トレイ、３３０ａ…前端
【図１】
2014033823.tif 000003
【図２】
2014033823.tif 000004
【図３】
2014033823.tif 000005
【図４】
2014033823.tif 000006